(57)【要約】      （修正有）【課題】機械的な強度が大きく、優れた耐久性を有するとともに、高級な外観を呈するシェルを備えたキャリーケースを提供する。【解決手段】シェル２，３を備えたキャリーケース１において、シェル２，３が、ポリカーボネート製或いはＡＢＳ樹脂製の基材からなる内層と、熱可塑性ポリエステル系エラストマーからなる外層とを有する。【選択図】図１
0003214506.tif 000002
【実用新案登録請求の範囲】
【請求項１】
シェルを備えたキャリーケースにおいて、
上記シェルが、種々の素材でつくられた基材からなる内層と、熱可塑性ポリエステル系エラストマーからなる外層とを有することを特徴とする、キャリーケース。
【請求項２】
シェルを備えたキャリーケースにおいて、
上記シェルが、ＡＢＳ樹脂製の基材からなる内層と、熱可塑性ポリエステル系エラストマーからなる外層とを有することを特徴とする、キャリーケース。
【請求項３】
シェルを備えたキャリーケースにおいて、
上記シェルが、ポリカーボネート製の基材からなる内層と、熱可塑性ポリエステル系エラストマーからなる外層とを有することを特徴とする、キャリーケース。
【考案の詳細な説明】
【技術分野】
【０００１】
本考案は、シェルを備えたキャリーケースに関し、詳しくは、熱可塑性ポリエステル系エラストマー（ＴＰＣ）を素材とするシェルを備えたキャリーケースに関する。
【背景技術】
【０００２】
キャリーケースは、消費者の好みや用途に応じた種々の外観や質感を有するシェルを備える。キャリーケースのシェルは、一般に、ポリカーボネート（ＰＣ）やＡＢＳ樹脂から形成されており、いずれの素材も耐久性や加工性に優れている。また、従来のポリカーボネートやＡＢＳ樹脂からなるシェルは軽いという利点もある。なお、本明細書及び実用新案登録請求の範囲の記載において、ＡＢＳ樹脂とは、アクリロニトリル（Ａｃｒｙｌｏｎｉｔｒｉｌｅ)、ブタジエン (Ｂｕｔａｄｉｅｎｅ)、スチレン (Ｓｔｙｒｅｎｅ)共重合合成樹脂の総称である。
【０００３】
一例として、特許文献１は、第１のポリカーボネート層と、第１のポリカーボネート層上に印刷形成されたインク層と、該インク層上に形成された第２のポリカーボネート層とを有する積層体から形成された、スーツケース用シェルについて開示している。
【０００４】
しかし、ポリカーボネート製のシェルであることが外見から明らかであり、高級感に欠ける。また、キャリーケースは他人に預ける機会が多く、ともすれば、キャリーケースのシェルが鋭利な刃物等で切り裂かれて該キャリーケース内の物が盗難の被害に遭う心配がある。
【０００５】
また、ポリカーボネート製の基材からなるキャリーケース用のシェルは、屋外で長時間に亘って使用されると、紫外線（ＵＶ）による分子鎖の切断に起因する劣化を避けることができない。ＵＶによる劣化を避けるためには、紫外線防止剤として機能する素材からなる外層が、シェルの基材の表面を覆うように加工されているとよい。
【０００６】
紫外線防止剤として機能する素材として、ＴＰＣつまり熱可塑性ポリエステル系エラストマー（Ｔｈｅｒｍｏｐｌａｓｔｉｃ  Ｐｏｌｙｅｓｔｅｒ  Ｅｌａｓｔｏｍｅｒ）が、チューブ、ホース、自動車部品、電機部品等に使用されている。ＴＰＣは、ソフトセグメントである脂肪族ポリエーテル又は脂肪族ポリエステルと、ハードセグメントである芳香族ポリエステルと、のブロックコポリマー（異相共重合体）である。
【先行技術文献】
【特許文献】
【０００７】
【特許文献１】特開２００６−２５５１３８号公報
【考案の概要】
【考案が解決しようとする課題】
【０００８】
キャリーケースのシェルは、プラスチック製であっても、堅牢で高級な外観を呈するとともに、機械的な強度が大きく優れた耐久性を有するシェルであることが望ましい。
【課題を解決するための手段】
【０００９】
本考案の一実施例においては、シェルを備えたキャリーケースにおいて、シェルが、ポリカーボネート製の基材からなる内層と、熱可塑性ポリエステル系エラストマーからなる外層とを有することを特徴とする、キャリーケースを提供する。
【００１０】
本考案の他の実施例においては、シェルを備えたキャリーケースにおいて、シェルが、ＡＢＳ樹脂製の基材からなる内層と、熱可塑性ポリエステル系エラストマーからなる外層とを有することを特徴とする、キャリーケースを提供する。
【００１１】
本考案のさらに他の実施例においては、シェルを備えたキャリーケースにおいて、シェルが、種々の素材でつくられた基材からなる内層と、熱可塑性ポリエステル系エラストマーからなる外層とを有することを特徴とする、キャリーケースを提供する。
【図面の簡単な説明】
【００１２】
【図１】蓋側シェル及び身側シェルを備えたキャリーケースの斜視図。
【図２】本考案のキャリーケース用のシェルの製造過程を示す図。
【考案を実施するための形態】
【００１３】
本考案について、添付の図を参照しつつ以下に説明する。
【００１４】
図１に示されるように、キャリーケース１は、概して、蓋側シェル２と、身側シェル３を備える。一実施例においては、キャリーケース１は、ロック及びロック解除をするときに使われるロック５と、キャリーケース１の底部に設けられた複数のキャスタ６と、キャリーケース１を牽引するときに使われるキャリーバー７と、サイドハンドル８とをさらに備え得る。
【００１５】
出願人は、このようなキャリーケース１のシェル２，３の素材として、ＴＰＣつまり熱可塑性ポリエステル系エラストマーを使用すると利点が多いことを見出した。
【００１６】
熱可塑性ポリエステル系エラストマー（ＴＰＣ）は、加硫ゴムと同様のゴム弾性を有し、加熱することによって溶融・流動するので、一般の熱可塑性プラスチックと同様に成形加工をすることが可能である。熱可塑性エラストマーとしての性質を示すためには、柔軟性成分（ゴム相またはソフトセグメント）と、塑性変形を防止する成分（樹脂相またはハードセグメント）とから構成されたブロックコポリマーである必要がある。
【００１７】
ブロックコポリマーのゴムの組成は、耐熱剛性、耐衝撃性に優れている。よって、キャリーケース用のシェルの材料として、ブロックコポリマーを主成分とするプラスチック材料を使用することにより、耐衝撃性に優れたキャリーケース用のシェルを実現することができる。  
【００１８】
ブロックコポリマーのゴム的な要素の導入は衝撃強度を向上させ得るが、ＴＰＣのソフトセグメントの比率を高くして柔軟性を持たせると耐熱性や耐油性が低下するため、弾性率と衝撃強度とを両立させるには、ゴム相の分散因子が重要となる。
【００１９】
ＴＰＣがキャリーケース１のシェル２，３の素材として使われる場合には、ポリカーボネート製の基材の表面に、或いはＡＢＳ樹脂製の基材の表面に、外層として加工されるとよい。さらに他の実施例においては、シェルの製造に適した種々の素材でつくられた基材の表面に、ＴＰＣが外層として加工される場合もある。
【００２０】
図２は、一実施例におけるシェル２，３の製造過程を示す。図２に示されるように、ポリカーボネート製の基材又はＡＢＳ製の基材の表面に、ＴＰＣが圧延成形された後、金型を使ってプレス加工されて、立体的なシェルの形状となるように成形される。
【００２１】
一実施例においては、ポリカーボネート製の基材からなる内層と、熱可塑性ポリエステル系エラストマーからなる外層と、を有することを特徴とするシェルの表面に塗装が施され、さらに表面の塗装が剥げにくくなるように表面処理が施され得る。具体的には、塗布される塗料の接着性を高めるための、粗面化機械加工、プラズマ処理、コロナ電荷処理及び化学処理のうちの１つ又は複数の面処理が行われる場合もある。
【００２２】
こうして、シェル２，３の外層として熱可塑性ポリエステル系エラストマーを使用することにより、キャリーケース１が高級な外観を呈する。また、質感の点においては、ゴム特有の手に馴染む感覚がある。よって、キャリーケース１を網棚などへ載せようとして持ち上げるときにも、キャリーケース１を支える手が滑ってしまうことが少ない。
【００２３】
さらには、シェル２，３の素材として、熱可塑性ポリエステル系エラストマーを使用することにより、シェル２，３の耐摩耗性と耐紫外線性を改善するという利点がある。
【符号の説明】
【００２４】
１…キャリーケース
２…（蓋側）シェル
３…（身側）シェル
５…ロック
６…キャスタ
７…キャリーバー
８…サイドハンドル
【図１】
0003214506.tif 000003
【図２】
0003214506.tif 000004